【手続補正書】
【提出日】平成15年9月24日(2003.9.24)
【手続補正１】
【補正対象書類名】明細書
【補正対象項目名】発明の名称
【補正方法】変更
【補正の内容】
【発明の名称】充放電保護回路及びバッテリーパック


【手続補正２】
【補正対象書類名】明細書
【補正対象項目名】特許請求の範囲
【補正方法】変更
【補正の内容】
【特許請求の範囲】
【請求項１】
２次電池と負荷との間に設けられた充電用トランジスタを制御して充電電流を２次電池に供給する充電制御時の２次電池の過充電状態、２次電池と負荷との間に設けられた放電用トランジスタを制御して負荷電流を負荷に供給する放電制御時の２次電池の過放電状態、または放電制御時の２次電池の過電流状態を検出して２次電池を過充電状態、過放電状態または過電流状態から保護する充放電保護回路において、
過充電状態であって、２次電池電位が更に過充電検出電圧以上である場合に、負荷に接続されている放電用トランジスタを活性化して負荷に負荷電流を供給する放電制御を実行するディレイ回路を有し、
該ディレイ回路は、過充電検出信号を検出した状態で更に過充電検出電圧以上の２次電池電位を検出した際に過放電検出信号及び過電流検出信号にかかる放電制御の指示に優先して前記負荷に接続されている放電用トランジスタを活性化して負荷に負荷電流を供給する放電制御の指示を実行する回路構成を有する
ことを特徴とする充放電保護回路。
【請求項２】
前記ディレイ回路は、前記負荷に接続されている放電用トランジスタを活性化すると共に、充電用トランジスタのドレイン−ソース間に並列に存在する寄生ダイオードと当該活性化状態の放電用トランジスタとを介して負荷に負荷電流を供給する放電制御を実行することを特徴とする請求項１記載の充放電保護回路。
【請求項３】
前記ディレイ回路は、前記過放電検出信号に応じて２次電池において過放電状態を検出して放電制御を実行するタイミングにかかるディレイ時間を設定するためのディレイ信号を生成し、また前記過電流検出信号に応じて２次電池において過電流状態を検出して放電制御を実行するタイミングにかかるディレイ時間を設定するためのディレイ信号を生成し、また前記過充電検出信号を検出した状態で更に過充電検出電圧以上の２次電池電位を検出した際、前記過放電状態に応じた放電制御のキャンセル及び前記過電流状態に応じた放電制御のキャンセルを指示すると共に、負荷に接続されている放電用トランジスタを活性化し充電用トランジスタのドレイン−ソース間に並列に存在する寄生ダイオードと当該活性化状態の放電用トランジスタとを介して負荷に負荷電流を供給する放電制御を指示するためのディレイ信号を生成する回路構成を有する
ことを特徴とする請求項１又は２に記載の充放電保護回路。
【請求項４】
前記ディレイ回路は、
前記過放電検出信号にかかるディレイ信号または前記過充電検出信号にかかるディレイ信号を生成するゲート回路と、
前記過充電検出信号を受信した状態で更に過充電検出電圧以上の２次電池電位を検出した際の過充電検出信号に応じて、前記過放電検出信号及び前記過電流検出信号を遮断して前記過放電検出信号にかかるディレイ信号または前記過充電検出信号にかかるディレイ信号の生成を禁止する制御を当該ゲート回路に対して実行すると共に、負荷に接続されている放電用トランジスタの活性化のための前記ディレイ信号の生成を指示する制御を当該ゲート回路に対して実行する回路構成を有する
ことを特徴とする請求項１に記載の充放電保護回路。
【請求項５】
前記過充電検出信号を受信した状態で更に過充電検出電圧以上の２次電池電位を検出した際の過充電検出信号のゲートへの入力に応じて、前記過放電検出信号及び前記過電流検出信号の前記ゲート回路への入力を遮断して前記ディレイ信号の生成を禁止する論理信号を当該ゲート回路に出力すると共に、放電用トランジスタの活性化のための前記ディレイ信号の生成を指示する論理信号を当該ゲート回路に出力する遮断用ＭＯＳＦＥＴを有する
ことを特徴とする請求項４に記載の充放電保護回路。
【請求項６】
充電制御時の２次電池の過充電状態、負荷電流を供給する放電制御時の２次電池の過放電状態、または放電制御時の２次電池の過電流状態を検出して２次電池を過充電状態、過放電状態または過電流状態から保護する充放電保護回路において、
２次電池電位に接続され、２次電池の放電状態を監視すると共に、過放電状態を検知した際に過放電検出信号を生成する過放電検出回路と、
充電器接地電位に接続され、当該充電器接地電位の電位を監視すると共に、過電流状態を検知した際に過電流検出信号を生成する過電流検出回路と、
２次電池電位に接続され、バッテリー接地電位を充電器接地電位にシフトして充電制御信号を生成するレベルシフト回路と、
前記ディレイ回路は、ヒステリシスインバータ回路を有し、前記過放電検出信号に応じて２次電池において過放電状態を検出するタイミングにかかるディレイ時間を設定するためのディレイ信号を当該ヒステリシスインバータ回路を介して生成し、また前記過電流検出信号に応じて２次電池において過電流状態を検出するタイミングにかかるディレイ時間を設定するためのディレイ信号を当該ヒステリシスインバータ回路を介して生成する回路構成を有する
ことを特徴とする請求項１記載の充放電保護回路。
【請求項７】
前記ディレイ回路は、
前記過放電検出信号にかかるディレイ信号または前記過充電検出信号にかかるディレイ信号を生成するヒステリシスインバータ回路と、
前記過充電検出信号を受信した状態で更に過充電検出電圧以上の２次電池電位を検出した際の過充電検出信号に応じて、前記過放電検出信号及び前記過電流検出信号を遮断して前記過放電検出信号にかかるディレイ信号または前記過充電検出信号にかかるディレイ信号の生成を禁止する制御を当該ヒステリシスインバータ回路に対して実行すると共に、負荷に接続されている放電用トランジスタの活性化のための前記ディレイ信号の生成を指示する制御を当該ヒステリシスインバータ回路に対して実行する回路構成を有する
ことを特徴とする請求項６に記載の充放電保護回路。
【請求項８】
前記ディレイ回路は、
前記ヒステリシスインバータ回路を有し、前記過放電検出信号に応じて２次電池において過放電状態を検出して放電制御を実行するための前記ディレイ信号を当該ヒステリシスインバータ回路を介して生成し、また前記過電流検出信号に応じて２次電池において過電流状態を検出して放電制御を実行するための前記ディレイ信号を当該ヒステリシスインバータ回路を介して生成し、また前記過充電検出信号を検出した状態で更に過充電検出電圧以上の２次電池電位を検出した際に、負荷に接続されている放電用トランジスタを活性化すると共に、充電用トランジスタのドレイン−ソース間に並列に存在する寄生ダイオードと当該活性化状態の放電用トランジスタとを介して負荷に負荷電流を供給する放電制御を実行する回路構成を有する
ことを特徴とする請求項６に記載の充放電保護回路。
【請求項９】
前記ディレイ回路は前記ディレイ信号を生成するゲート回路を有し、
当該ゲート回路は、前記過充電検出信号を受信した状態で更に過充電検出電圧以上の２次電池電位を検出した際に、前記過放電検出信号及び前記過電流検出信号を遮断する制御を前記ヒステリシスインバータ回路に対して実行すると共に、負荷に接続されている放電用トランジスタの活性化を指示する前記ディレイ信号を生成するする制御を当該ヒステリシスインバータ回路に対して実行する回路構成を有する
ことを特徴とする請求項７又は８に記載の充放電保護回路。
【請求項１０】
前記過充電検出信号を受信した状態で更に過充電検出電圧以上の２次電池電位を検出した際の過充電検出信号のゲートへの入力に応じて、前記過放電検出信号及び前記過電流検出信号の前記ゲート回路への入力を遮断して前記ディレイ信号の生成を禁止する論理信号を当該ヒステリシスインバータ回路に出力すると共に、放電用トランジスタの活性化のための前記ディレイ信号の生成を指示する論理信号を当該ヒステリシスインバータ回路に出力する遮断用ＭＯＳＦＥＴを有する
ことを特徴とする請求項９に記載の充放電保護回路。
【請求項１１】
前記ディレイ回路は、前記過放電検出信号に応じた放電制御を実行するタイミングにかかるディレイ時間、また前記過電流検出信号に応じた放電制御を実行するタイミングにかかるディレイ時間を設定するために前記ヒステリシスインバータ回路の入力に接続されたタイミングコンデンサーを有し、
前記遮断用ＭＯＳＦＥＴは、前記ヒステリシスインバータ回路の入力に対して前記タイミングコンデンサーに並列に接続され、前記過充電検出信号を受信した状態で更に過充電検出電圧以上の２次電池電位を検出した際の過充電検出信号のゲートへの入力に応じて、前記過放電検出信号または前記過電流検出信号によって前記タイミングコンデンサーに蓄積される電荷を短絡する回路構成を有する
ことを特徴とする請求項５または１０に記載の充放電保護回路。
【請求項１２】
前記ヒステリシスインバータ回路は、タイミングコンデンサーの電位が前記上昇ヒステリシス回路における入力電圧上昇時のスレッショルドレベル以上である場合に前記放電用トランジスタを不活性化する前記ディレイ信号を生成し、タイミングコンデンサーの電位が前記上昇ヒステリシス回路における入力電圧上昇時のスレッショルドレベル未満である場合に当該放電用トランジスタを活性化する前記ディレイ信号を生成する回路構成を有する
ことを特徴とする請求項１１に記載の充放電保護回路。
【請求項１３】
前記充放電保護回路に加えて、
前記２次電池であるバッテリーセルと、
負荷と前記バッテリーセル間に直列に接続され、放電制御時に前記バッテリーセルから負荷に供給される放電電流の通電状態を前記ディレイ信号の論理値に応じて制御する放電用トランジスタと、
充電器と前記バッテリーセル間に直列に接続され、充電制御時に充電器から前記バッテリーセルに供給される充電電流の通電状態を前記充電制御信号の論理値に応じて制御する充電用トランジスタと、
バッテリー接地電位に接続され、前記バッテリーセルにおいて過充電状態を検出するタイミングにかかるディレイ時間を設定するための充放電信号を生成して前記過充電検出回路に送信する遅延コンデンサーとを有する
ことを特徴とする請求項１乃至１２のいずれか一項に記載の充放電保護回路を用いたバッテリーパック。
【請求項１４】
前記放電用トランジスタは、前記ディレイ信号の論理値と前記短絡検出信号の論理値との論理積である放電信号の論理値に応じて前記バッテリーセルから負荷に供給される放電電流の通電状態を制御するように構成されている
ことを特徴とする請求項１３に記載のバッテリーパック。
【請求項１５】
充電器接地電位に応じて活性化された際に前記充電用トランジスタを活性化する論理値を有する前記充電制御信号を生成するレベルシフト回路を有する
ことを特徴とする請求項１４に記載のバッテリーパック。
【手続補正３】
【補正対象書類名】明細書
【補正対象項目名】０００１
【補正方法】変更
【補正の内容】
【０００１】
【発明の属する技術分野】
本発明は、２次電池の充放電回路に関し、特に、充電制御時の２次電池の過充電状態、負荷電流を供給する放電制御時の２次電池の過放電状態、または放電制御時の２次電池の過電流状態を検出して２次電池を過充電状態、過放電状態または過電流状態から保護する充放電保護回路に関する。
【手続補正４】
【補正対象書類名】明細書
【補正対象項目名】０００２
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】変更
【補正の内容】
【００２７】
第１に、２次電池と負荷との間に設けられた充電用トランジスタを制御して充電電流を２次電池に供給する充電制御時の２次電池の過充電状態、２次電池と負荷との間に設けられた放電用トランジスタを制御して負荷電流を負荷に供給する放電制御時の２次電池の過放電状態、または放電制御時の２次電池の過電流状態を検出して２次電池を過充電状態、過放電状態または過電流状態から保護する充放電保護回路において、過放電検出信号に応じた放電制御を実行するタイミングにかかるディレイ時間、また過電流検出信号に応じた放電制御を実行するタイミングにかかるディレイ時間を設定するためにヒステリシスインバータ回路の入力に接続されたタイミングコンデンサーと過放電検出信号にかかるディレイ信号または過充電検出信号にかかるディレイ信号を生成するゲート回路と過充電検出信号を受信した状態で更に過充電検出電圧以上の２次電池電位を検出した際の過充電検出信号のゲートへの入力に応じて、過放電検出信号及び過電流検出信号のゲート回路への入力を遮断してディレイ信号の生成を禁止する論理信号をゲート回路に出力すると共に、放電用トランジスタの活性化のためのディレイ信号の生成を指示する論理信号をゲート回路に出力する遮断用ＭＯＳＦＥＴとヒステリシスインバータ回路を有し、過放電検出信号に応じて２次電池において過放電状態を検出して放電制御を実行するタイミングにかかるディレイ時間を設定するためのディレイ信号ヒステリシスインバータ回路を介して生成し、また過電流検出信号に応じて２次電池において過電流状態を検出して放電制御を実行するタイミングにかかるディレイ時間を設定するためのディレイ信号をヒステリシスインバータ回路を介して生成し、また過充電検出信号を検出した状態で更に過充電検出電圧以上の２次電池電位を検出した際、過放電状態に応じた放電制御のキャンセル及び過電流状態に応じた放電制御のキャンセルを指示すると共に、負荷に接続されている放電用トランジスタを活性化し充電用トランジスタのドレイン−ソース間に並列に存在する寄生ダイオードと活性化状態の放電用トランジスタとを介して負荷に負荷電流を供給する放電制御を指示するためのディレイ信号をヒステリシスインバータ回路を介して生成するディレイ回路と、２次電池を充電する充電器の充電電位に接続され、バッテリー接地電位を充電器接地電位にシフトして充電制御信号を生成するレベルシフト回路と、２次電池電位に接続され２次電池の放電状態を監視すると共に、過放電状態を検知した際に過放電検出信号を生成する過放電検出回路と、充電器接地電位に接続され充電器接地電位の電位を監視すると共に、過電流状態を検知した際に過電流検出信号を生成する過電流検出回路とを設けることに依り、負荷接続時に過充電を検出した場合であって２次電池電位が過充電検出電圧よりも低いときに負荷電流を負荷に供給する機能、２次電池電位が過充電検出電圧以上であっても負荷接続時の負荷電流が過電流として誤判定されて放電トランジスタが不活性化されてしまうことを回避して負荷電流を負荷に供給する機能、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する機能を有する充放電保護回路を実現することを課題としている。


【手続補正７】
【補正対象書類名】明細書
【補正対象項目名】００２８
【補正方法】変更
【補正の内容】
【００２８】
第２に、２次電池であるバッテリーセルと、負荷とバッテリーセル間に直列に接続され、放電制御時にバッテリーセルから負荷に供給される放電電流の通電状態をディレイ信号の論理値に応じて制御する放電用トランジスタと、充電器とバッテリーセル間に直列に接続され、充電制御時に充電器からバッテリーセルに供給される充電電流の通電状態を充電制御信号の論理値に応じて制御する充電用トランジスタと、バッテリー接地電位に接続され、バッテリーセルにおいて過充電状態を検出するタイミングにかかるディレイ時間を設定するための充放電信号を生成して過充電検出回路に送信する遅延コンデンサーとを有し、放電用トランジスタはディレイ信号の論理値と短絡検出信号の論理値との論理積である放電信号の論理値に応じてバッテリーセルから負荷に供給される放電電流の通電状態を制御するように構成され、レベルシフト回路は充電器接地電位に応じて活性化された際に充電用トランジスタを活性化する論理値を有する充電制御信号を生成するように構成することにより、負荷接続時に過充電を検出した場合であって２次電池電位が過充電検出電圧よりも低いときに負荷電流を負荷に供給する機能、２次電池電位が過充電検出電圧以上であっても負荷接続時の負荷電流が過電流として誤判定されて放電トランジスタが不活性化されてしまうことを回避して負荷電流を負荷に供給する機能、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する機能を有するバッテリーパックを実現することを課題としている。


【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】変更
【補正の内容】
【００４７】
【課題を解決するための手段】
請求項１に記載の発明は、
２次電池１２と負荷１４との間に設けられた充電用トランジスタＱ2 を制御して充電電流を２次電池１２に供給する充電制御時の２次電池１２の過充電状態、２次電池１２と負荷１４との間に設けられた放電用トランジスタＱ1 を制御して負荷電流を負荷１４に供給する放電制御時の２次電池１２の過放電状態、または放電制御時の２次電池１２の過電流状態を検出して２次電池１２を過充電状態、過放電状態または過電流状態から保護する充放電保護回路において、過充電状態であって、２次電池電位が更に過充電検出電圧以上である場合に、負荷１４に接続されている放電用トランジスタＱ1 を活性化して負荷１４に負荷電流を供給する放電制御を実行するディレイ回路２６を有し、該ディレイ回路２６は、過充電検出信号を検出した状態で更に過充電検出電圧以上の２次電池電位を検出した際に過放電検出信号及び過電流検出信号にかかる放電制御の指示に優先して前記負荷１４に接続されている放電用トランジスタＱ1 を活性化して負荷１４に負荷電流を供給する放電制御の指示を実行する回路構成を有することを特徴とする充放電保護回路２０である。


【手続補正２７】
【補正対象書類名】明細書
【補正対象項目名】００４８
【補正方法】変更
【補正の内容】
【００４８】
請求項１に記載の発明に依れば、２次電池電位ＶDDが過充電検出電圧以上であっても負荷１４接続時の負荷電流が過電流として誤判定されて放電トランジスタが不活性化されてしまうことを回避して負荷電流を負荷１４に供給する放電制御機能を実現できるようになり、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。また、ディレイ回路２６を設けることに依り、過放電検出信号２７ａにかかる放電制御及び前記過電流検出信号２５ａにかかる放電制御よりも過充電検出信号２２ａを検出した状態で更に過充電検出電圧以上の２次電池電位ＶDDを検出した際の放電用トランジスタＱ1 の活性化にかかる放電制御を優先することができるようになり、その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。
【手続補正２８】
【補正対象書類名】明細書
【補正対象項目名】００４９
【補正方法】変更
【補正の内容】
【００４９】
請求項２に記載の発明は、請求項１に記載の充放電保護回路２０において、前記ディレイ回路は、前記負荷１４に接続されている放電用トランジスタＱ1 を活性化すると共に、充電用トランジスタＱ2 のドレイン−ソース間に並列に存在する寄生ダイオードと当該活性化状態の放電用トランジスタＱ1 とを介して負荷１４に負荷電流を供給する放電制御を実行することを特徴とする。
【手続補正２９】
【補正対象書類名】明細書
【補正対象項目名】００５０
【補正方法】変更
【補正の内容】
【００５０】
請求項２に記載の発明に依れば、２次電池電位ＶDDが過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現できるようになり、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。


【手続補正３０】
【補正対象書類名】明細書
【補正対象項目名】００５１
【補正方法】変更
【補正の内容】
【００５１】
請求項３に記載の発明は、請求項１又は２に記載の充放電保護回路２０において、前記ディレイ回路２６は、前記過放電検出信号２７ａに応じて２次電池１２において過放電状態を検出して放電制御を実行するタイミングにかかるディレイ時間を設定するためのディレイ信号２６ａを生成し、また前記過電流検出信号２５ａに応じて２次電池１２において過電流状態を検出して放電制御を実行するタイミングにかかるディレイ時間を設定するためのディレイ信号２６ａを生成し、また前記過充電検出信号２２ａを検出した状態で更に過充電検出電圧以上の２次電池電位ＶDDを検出した際、前記過放電状態に応じた放電制御のキャンセル及び前記過電流状態に応じた放電制御のキャンセルを指示すると共に、負荷１４に接続されている放電用トランジスタＱ1 を活性化し充電用トランジスタＱ2 のドレイン−ソース間に並列に存在する寄生ダイオードと当該活性化状態の放電用トランジスタＱ1 とを介して負荷１４に負荷電流を供給する放電制御を指示するためのディレイ信号２６ａを生成する回路構成を有する構成とした充放電保護回路２０である。


【手続補正３１】
【補正対象書類名】明細書
【補正対象項目名】００５２
【補正方法】変更
【補正の内容】
【００５２】
請求項３に記載の発明に依れば、請求項１又は２に記載の効果に加えて、ディレイ回路２６を設けることに依り、過充電検出信号２２ａを検出した状態で更に過充電検出電圧以上の２次電池電位ＶDDを検出した際に過放電状態に応じた放電制御のキャンセル及び過電流状態に応じた放電制御のキャンセルを実行できるようになり、その結果、過放電状態を回避する放電制御機能及び過電流状態を回避する過電流制御機能に加えて、負荷１４接続時に過充電を検出した場合であって２次電池電位ＶDDが過充電検出電圧よりも低いときに負荷電流を放電用トランジスタＱ1 を介して負荷１４に供給する放電制御機能を実現できるといった効果を奏する。


【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】変更
【補正の内容】
【００５５】
請求項４に記載の発明は、請求項１に記載の充放電保護回路２０において、前記ディレイ回路２６は、前記過放電検出信号２７ａにかかるディレイ信号２６ａまたは前記過充電検出信号２２ａにかかるディレイ信号２６ａを生成するゲート回路Ｑ22，Ｑ23，Ｑ25，Ｑ27と、前記過充電検出信号２２ａを受信した状態で更に過充電検出電圧以上の２次電池電位ＶDDを検出した際の過充電検出信号２２ａに応じて、前記過放電検出信号２７ａ及び前記過電流検出信号２５ａを遮断して前記過放電検出信号２７ａにかかるディレイ信号２６ａまたは前記過充電検出信号２２ａにかかるディレイ信号２６ａの生成を禁止する制御を当該ゲート回路Ｑ22，Ｑ23，Ｑ25，Ｑ27に対して実行すると共に、負荷１４に接続されている放電用トランジスタＱ1 の活性化のための前記ディレイ信号２６ａの生成を指示する制御を当該ゲート回路Ｑ22，Ｑ23，Ｑ25，Ｑ27に対して実行する回路構成を有する構成とした充放電保護回路２０である。


【手続補正３５】
【補正対象書類名】明細書
【補正対象項目名】００５６
【補正方法】変更
【補正の内容】
【００５６】
請求項４に記載の発明に依れば、請求項１に記載の効果に加えて、ゲート回路Ｑ22，Ｑ23，Ｑ25，Ｑ27を設けることに依り、放電制御または放電制御に必要なディレイ信号２６ａを生成して放電用トランジスタＱ1 に供給できるようになる。またディレイ回路２６を設けることに依り、過充電検出信号２２ａを受信した状態で更に過充電検出電圧以上の２次電池電位ＶDDを検出した際に、過放電検出信号２７ａ及び過電流検出信号２５ａを遮断して過放電検出信号２７ａにかかる放電制御及び過電流検出信号２５ａにかかる放電制御に要するディレイ信号２６ａの生成を禁止する制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成を許可することができるようになり、その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。


【手続補正３６】
【補正対象書類名】明細書
【補正対象項目名】００５７
【補正方法】変更
【補正の内容】
【００５７】
請求項５に記載の発明は、請求項４に記載の充放電保護回路２０において、前記過充電検出信号２２ａを受信した状態で更に過充電検出電圧以上の２次電池電位ＶDDを検出した際の過充電検出信号２２ａのゲートへの入力に応じて、前記過放電検出信号２７ａ及び前記過電流検出信号２５ａの前記ゲート回路Ｑ22，Ｑ23，Ｑ25，Ｑ27への入力を遮断して前記ディレイ信号２６ａの生成を禁止する論理信号を当該ゲート回路Ｑ22，Ｑ23，Ｑ25，Ｑ27に出力すると共に、放電用トランジスタＱ1 の活性化のための前記ディレイ信号２６ａの生成を指示する論理信号を当該ゲート回路Ｑ22，Ｑ23，Ｑ25，Ｑ27に出力する遮断用ＭＯＳＦＥＴＱ36を有する構成とした充放電保護回路２０である。


【手続補正３７】
【補正対象書類名】明細書
【補正対象項目名】００５８
【補正方法】変更
【補正の内容】
【００５８】
請求項５に記載の発明に依れば、請求項４に記載の効果に加えて、遮断用ＭＯＳＦＥＴＱ36を設けることに依り、過充電検出信号２２ａを受信した状態で更に過充電検出電圧以上の２次電池電位ＶDDを検出した際の過充電検出信号２２ａのゲートへの入力に応じて遮断用ＭＯＳＦＥＴＱ36を活性化し過放電検出信号２７ａ及び過電流検出信号２５ａを遮断して過放電検出信号２７ａにかかる放電制御及び過電流検出信号２５ａにかかる放電制御に要するディレイ信号２６ａの生成を禁止する制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成を許可するディレイ信号２６ａを生成する制御を実行できるようになる。その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。


【手続補正３８】
【補正対象書類名】明細書
【補正対象項目名】００５９
【補正方法】変更
【補正の内容】
【００５９】
請求項６に記載の発明は、請求項１に記載の充放電保護回路２０において、充電制御時の２次電池１２の過充電状態、負荷電流を供給する放電制御時の２次電池１２の過放電状態、または放電制御時の２次電池１２の過電流状態を検出して２次電池１２を過充電状態、過放電状態または過電流状態から保護する充放電保護回路において、２次電池電位に接続され、２次電池１２の放電状態を監視すると共に、過放電状態を検知した際に過放電検出信号２７ａを生成する過放電検出回路２７と、充電器１４接地電位Ｖ−に接続され、当該充電器１４接地電位Ｖ−の電位を監視すると共に、過電流状態を検知した際に過電流検出信号２５ａを生成する過電流検出回路２５と、２次電池電位に接続され、バッテリー接地電位Ｖssを充電器１４接地電位Ｖ−にシフトして充電制御信号２３ａを生成するレベルシフト回路２３と、前記ディレイ回路２６は、ヒステリシスインバータ回路Ｑ26を有し、前記過放電検出信号２７ａに応じて２次電池１２において過放電状態を検出するタイミングにかかるディレイ時間を設定するためのディレイ信号２６ａを当該ヒステリシスインバータ回路Ｑ26を介して生成し、また前記過電流検出信号２５ａに応じて２次電池１２において過電流状態を検出するタイミングにかかるディレイ時間を設定するためのディレイ信号２６ａを当該ヒステリシスインバータ回路Ｑ26を介して生成する回路構成を有する充放電保護回路２０である。


【手続補正３９】
【補正対象書類名】明細書
【補正対象項目名】００６０
【補正方法】変更
【補正の内容】
【００６０】
請求項６に記載の発明に依れば、請求項１に記載の効果に加えて、過放電検出回路２７を設けることにより、２次電池１２の放電状態を監視して過放電状態を検知した際に過放電検出信号２７ａを生成できるようになる。また、前述のヒステリシスインバータ回路Ｑ26を有するディレイ回路２６を設けることにより、過放電検出信号２７ａを前述のヒステリシスインバータ回路Ｑ26に入力できるようになり、その結果、上昇時の入力電圧スレッショルドレベルＶtHと下降時の入力電圧スレッショルドレベルＶtLとで特定できるヒステリシス特性を有するディレイ信号２６ａを生成できるようになる。このようなヒステリシス特性をディレイ信号２６ａに付与することにより、過電流検出時の発振防止機能を実現できるようになり、ディレイ信号２６ａを用いて放電電流の制御を行う放電用トランジスタＱ1 の過電流検出時の発振防止機能を実現できるようになる。更に、ヒステリシスインバータ回路Ｑ26を設けることで、ラッチ機能付コンパレータに比べて簡便な回路構成で、かつコンパクトな回路規模、小さいチップ面積、２次電池１２の消耗を軽減した少ない消費電力でこのような発振防止機能を有する過電流検出回路２５を実現できるようになる。また、レベルシフト回路２３は充電器１４の充電電位に接続されているので、充電器１４が充電電位に接続された際に充電器１４から電力の供給を受けて動作可能となり充電制御信号２３ａを生成できるようになる。すなわち、２次電池１２に充放電保護回路２０を動作させるだけの電力を供給する能力が無くなってしまった場合であっても充電器１４が充電電位に接続されればレベルシフト回路２３が動作可能状態となって充電制御信号２３ａを生成できるようになり、２次電池１２の電池電圧が動作可能電圧を下回ってしまった場合であっても充電器１４の接続によって確実な充電制御を実行する機能を実現できるようになる。その結果、充電制御信号２３ａを用いて充電用トランジスタＱ2 を制御して２次電池１２の充電制御ができるようになり、充放電保護回路２０を動作させるだけの電力の供給する能力を２次電池１２において復帰させることができるようになるといった効果を奏する。


【手続補正４０】
【補正対象書類名】明細書
【補正対象項目名】００６１
【補正方法】変更
【補正の内容】
【００６１】
請求項７に記載の発明は、請求項６に記載の充放電保護回路２０において、前記ディレイ回路２６は、前記過放電検出信号２７ａにかかるディレイ信号２６ａまたは前記過充電検出信号２２ａにかかるディレイ信号２６ａを生成するヒステリシスインバータ回路Ｑ26と、前記過充電検出信号２２ａを受信した状態で更に過充電検出電圧以上の２次電池電位ＶDDを検出した際の過充電検出信号２２ａに応じて、前記過放電検出信号２７ａ及び前記過電流検出信号２５ａを遮断して前記過放電検出信号２７ａにかかるディレイ信号２６ａまたは前記過充電検出信号２２ａにかかるディレイ信号２６ａの生成を禁止する制御を当該ヒステリシスインバータ回路Ｑ26に対して実行すると共に、負荷１４に接続されている放電用トランジスタＱ1 の活性化のための前記ディレイ信号２６ａの生成を指示する制御を当該ヒステリシスインバータ回路Ｑ26に対して実行する回路構成を有する構成とした充放電保護回路２０である。


【手続補正４１】
【補正対象書類名】明細書
【補正対象項目名】００６２
【補正方法】変更
【補正の内容】
【００６２】
請求項７に記載の発明に依れば、請求項６に記載の効果に加えて、遮断用ＭＯＳＦＥＴＱ36を設けることに依り、過充電検出信号２２ａを受信した状態で更に過充電検出電圧以上の２次電池電位ＶDDを検出した際の過充電検出信号２２ａのゲートへの入力に応じて遮断用ＭＯＳＦＥＴＱ36を活性化し過放電検出信号２７ａ及び過電流検出信号２５ａのヒステリシスインバータ回路Ｑ26への入力を遮断して過放電検出信号２７ａにかかる放電制御及び過電流検出信号２５ａにかかる放電制御に要するディレイ信号２６ａの生成を禁止する制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成をヒステリシスインバータ回路Ｑ26に対して優先的に許可するディレイ信号２６ａを生成する制御を実行できるようになる。その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を小さな回路規模で実現できるようになるといった効果を奏する。


【手続補正４２】
【補正対象書類名】明細書
【補正対象項目名】００６３
【補正方法】変更
【補正の内容】
【００６３】
請求項８に記載の発明は、請求項６に記載の充放電保護回路２０において、前記ディレイ回路２６は、前記ヒステリシスインバータ回路Ｑ26を有し、前記過放電検出信号２７ａに応じて２次電池１２において過放電状態を検出して放電制御を実行するための前記ディレイ信号２６ａを当該ヒステリシスインバータ回路Ｑ26を介して生成し、また前記過電流検出信号２５ａに応じて２次電池１２において過電流状態を検出して放電制御を実行するための前記ディレイ信号２６ａを当該ヒステリシスインバータ回路Ｑ26を介して生成し、また前記過充電検出信号２２ａを検出した状態で更に過充電検出電圧以上の２次電池電位ＶDDを検出した際に、負荷１４に接続されている放電用トランジスタＱ1 を活性化すると共に、充電用トランジスタＱ2 のドレイン−ソース間に並列に存在する寄生ダイオードと当該活性化状態の放電用トランジスタＱ1 とを介して負荷１４に負荷電流を供給する放電制御を実行する回路構成を有する構成とした充放電保護回路２０である。


【手続補正４３】
【補正対象書類名】明細書
【補正対象項目名】００６４
【補正方法】変更
【補正の内容】
【００６４】
請求項８に記載の発明に依れば、請求項６に記載の効果と同様の効果を奏する。


【手続補正４４】
【補正対象書類名】明細書
【補正対象項目名】００６５
【補正方法】変更
【補正の内容】
【００６５】
請求項９に記載の発明は、請求項７又は８に記載の充放電保護回路２０において、前記ディレイ回路２６は前記ディレイ信号２６ａを生成するゲート回路Ｑ22，Ｑ23，Ｑ25，Ｑ27を有し、当該ゲート回路Ｑ22，Ｑ23，Ｑ25，Ｑ27は、前記過充電検出信号２２ａを受信した状態で更に過充電検出電圧以上の２次電池電位ＶDDを検出した際に、前記過放電検出信号２７ａ及び前記過電流検出信号２５ａを遮断する制御を前記ヒステリシスインバータ回路Ｑ26に対して実行すると共に、負荷１４に接続されている放電用トランジスタＱ1 の活性化を指示する前記ディレイ信号２６ａを生成するする制御を当該ヒステリシスインバータ回路Ｑ26に対して実行する回路構成を有する構成とした充放電保護回路２０である。


【手続補正４５】
【補正対象書類名】明細書
【補正対象項目名】００６６
【補正方法】変更
【補正の内容】
【００６６】
請求項９に記載の発明に依れば、請求項７又は８に記載の効果に加えて、遮断用ＭＯＳＦＥＴＱ36を設けることに依り、過充電検出信号２２ａを受信した状態で更に過充電検出電圧以上の２次電池電位ＶDDを検出した際の過充電検出信号２２ａのゲートへの入力に応じて遮断用ＭＯＳＦＥＴＱ36を活性化し過放電検出信号２７ａ及び過電流検出信号２５ａのヒステリシスインバータ回路Ｑ26への入力を遮断して過放電検出信号２７ａにかかる放電制御及び過電流検出信号２５ａにかかる放電制御に要するディレイ信号２６ａの生成を禁止する制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成をヒステリシスインバータ回路Ｑ26に対して優先的に許可するディレイ信号２６ａを生成する制御を実行できるようになる。その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能をヒステリシスインバータ回路Ｑ26や遮断用ＭＯＳＦＥＴＱ36を用いることで小さな回路規模で実現できるようになるといった効果を奏する。


【手続補正４６】
【補正対象書類名】明細書
【補正対象項目名】００６７
【補正方法】変更
【補正の内容】
【００６７】
請求項１０に記載の発明は、請求項９に記載の充放電保護回路２０において、前記過充電検出信号２２ａを受信した状態で更に過充電検出電圧以上の２次電池電位ＶDDを検出した際の過充電検出信号２２ａのゲートへの入力に応じて、前記過放電検出信号２７ａ及び前記過電流検出信号２５ａの前記ゲート回路Ｑ22，Ｑ23，Ｑ25，Ｑ27への入力を遮断して前記ディレイ信号２６ａの生成を禁止する論理信号を当該ヒステリシスインバータ回路Ｑ26に出力すると共に、放電用トランジスタＱ1 の活性化のための前記ディレイ信号２６ａの生成を指示する論理信号を当該ヒステリシスインバータ回路Ｑ26に出力する遮断用ＭＯＳＦＥＴＱ36を有する構成とした充放電保護回路２０である。


【手続補正４７】
【補正対象書類名】明細書
【補正対象項目名】００６８
【補正方法】変更
【補正の内容】
【００６８】
請求項１０に記載の発明に依れば、請求項９に記載の効果に加えて、遮断用ＭＯＳＦＥＴＱ36を設けることに依り、過充電検出信号２２ａを受信した状態で更に過充電検出電圧以上の２次電池電位ＶDDを検出した際の過充電検出信号２２ａのゲートへの入力に応じて遮断用ＭＯＳＦＥＴＱ36を活性化し過放電検出信号２７ａ及び過電流検出信号２５ａのヒステリシスインバータ回路Ｑ26への入力を遮断して過放電検出信号２７ａにかかる放電制御及び過電流検出信号２５ａにかかる放電制御に要するディレイ信号２６ａの生成を禁止する論理制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成をヒステリシスインバータ回路Ｑ26に対して優先的に許可するディレイ信号２６ａを生成する論理制御を実行できるようになる。その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であっても過電流状態と誤判定されて放電トランジスタが不活性化されてしまうことを回避して負荷電流を負荷１４に供給する放電制御機能を論理制御できるヒステリシスインバータ回路Ｑ26や遮断用ＭＯＳＦＥＴＱ36を用いることで小さな回路規模でかつ集積化に適した回路形態で実現できるようになるといった効果を奏する。


【手続補正４８】
【補正対象書類名】明細書
【補正対象項目名】００６９
【補正方法】変更
【補正の内容】
【００６９】
請求項１１に記載の発明は、請求項５または１０に記載の充放電保護回路２０において、前記ディレイ回路２６は、前記過放電検出信号２７ａに応じた放電制御を実行するタイミングにかかるディレイ時間、また前記過電流検出信号２５ａに応じた放電制御を実行するタイミングにかかるディレイ時間を設定するために前記ヒステリシスインバータ回路Ｑ26の入力に接続されたタイミングコンデンサーＣ2 を有し、前記遮断用ＭＯＳＦＥＴＱ36は、前記ヒステリシスインバータ回路Ｑ26の入力に対して前記タイミングコンデンサーＣ2 に並列に接続され、前記過充電検出信号２２ａを受信した状態で更に過充電検出電圧以上の２次電池電位ＶDDを検出した際の過充電検出信号２２ａのゲートへの入力に応じて、前記過放電検出信号２７ａまたは前記過電流検出信号２５ａによって前記タイミングコンデンサーＣ2 に蓄積される電荷を短絡する回路構成を有する構成とした充放電保護回路２０である。


【手続補正４９】
【補正対象書類名】明細書
【補正対象項目名】００７０
【補正方法】変更
【補正の内容】
【００７０】
請求項１１に記載の発明に依れば、請求項５または１０に記載の効果に加えて、遮断用ＭＯＳＦＥＴＱ36を設けることに依り、過充電検出信号２２ａを受信した状態で更に過充電検出電圧以上の２次電池電位ＶDDを検出した際の過充電検出信号２２ａのゲートへの入力に応じて遮断用ＭＯＳＦＥＴＱ36を活性化し過放電検出信号２７ａ及び過電流検出信号２５ａのタイミングコンデンサーＣ2 への電荷蓄積を遮断して過放電検出信号２７ａにかかる放電制御及び過電流検出信号２５ａにかかる放電制御に要するディレイ信号２６ａの生成を禁止する論理制御を実行し、かつ過充電検出信号２２ａを検出した状態で更に過充電検出電圧以上の２次電池電位ＶDDを検出した際の放電用トランジスタＱ1 の活性化にかかる放電制御に要するディレイ信号２６ａの生成をヒステリシスインバータ回路Ｑ26に対して優先的に許可するディレイ信号２６ａを生成する論理制御を実行できるようになる。その結果、過充電検出電圧以上であっても負荷１４接続時の負荷電流が過電流として誤判定されずに放電用トランジスタＱ1 を活性化して寄生ダイオードと放電用トランジスタＱ1 とを介して負荷電流を負荷１４に供給する放電制御機能を実現でき、同様に、充電器１４としてパルス充電器１４を用い負荷１４接続時の負荷電流に対する過電流が検出された際の２次電池電位ＶDDが過充電検出電圧以上に保持された場合であってもタイミングコンデンサーＣ2 の電位に基づいて過電流状態と誤判定されて放電トランジスタが不活性化されてしまうことを回避して負荷電流を負荷１４に供給する放電制御機能を論理制御できるヒステリシスインバータ回路Ｑ26や遮断用ＭＯＳＦＥＴＱ36を用いることで小さな回路規模でかつ集積化に適した回路形態で実現できるようになるといった効果を奏する。


【手続補正５０】
【補正対象書類名】明細書
【補正対象項目名】００７１
【補正方法】変更
【補正の内容】
【００７１】
請求項１２に記載の発明は、請求項１１に記載の充放電保護回路２０において、前記ヒステリシスインバータ回路Ｑ26は、タイミングコンデンサーＣ2 の電位が前記上昇ヒステリシス回路（Ｑ41，Ｑ45）における入力電圧上昇時のスレッショルドレベル以上である場合に前記放電用トランジスタＱ1 を不活性化する前記ディレイ信号２６ａを生成し、タイミングコンデンサーＣ2 の電位が前記上昇ヒステリシス回路（Ｑ41，Ｑ45）における入力電圧上昇時のスレッショルドレベル未満である場合に当該放電用トランジスタＱ1 を活性化する前記ディレイ信号２６ａを生成する回路構成を有する構成とした充放電保護回路２０である。


【手続補正５１】
【補正対象書類名】明細書
【補正対象項目名】００７２
【補正方法】変更
【補正の内容】
【００７２】
請求項１２に記載の発明に依れば、請求項１１に記載の効果に加えて、過放電検出信号２７ａ及び過電流検出信号２５ａを用いたタイミングコンデンサーＣ2 への電荷蓄積に応じたコンデンサー電位と上昇ヒステリシス回路（Ｑ41，Ｑ45）における入力電圧上昇時のスレッショルドレベルとを比較して入力電圧上昇時のスレッショルドレベル以上のコンデンサー電位となった際に放電用トランジスタＱ1 を不活性化するディレイ信号２６ａを生成できるようになり、上昇ヒステリシス回路（Ｑ41，Ｑ45）における入力電圧上昇時のスレッショルドレベル未満である場合に放電用トランジスタＱ1 を活性化するディレイ信号２６ａを生成できるようになる。その結果、上昇時の入力電圧スレッショルドレベルＶtHと下降時の入力電圧スレッショルドレベルＶtLとで特定できるヒステリシス特性を有するディレイ信号２６ａを生成できるようになる。このようなヒステリシス特性をディレイ信号２６ａに付与することにより、過電流検出時の発振防止機能を実現できるようになり、ディレイ信号２６ａを用いて放電電流の制御を行う放電用トランジスタＱ1 の過電流検出時の発振防止機能を実現できるようになる。更に、ヒステリシスインバータ回路Ｑ26を設けることで、ラッチ機能付コンパレータに比べて簡便な回路構成で、かつコンパクトな回路規模、小さいチップ面積、２次電池１２の消耗を軽減した少ない消費電力でこのような発振防止機能を有する過電流検出回路２５を実現できるようになる。


【手続補正５２】
【補正対象書類名】明細書
【補正対象項目名】００７３
【補正方法】変更
【補正の内容】
【００７３】
請求項１３に記載の発明は、請求項１乃至１２のいずれか一項に記載の充放電保護回路２０を用いたバッテリーパック１０において、前記充放電保護回路２０に加えて、前記２次電池であるバッテリーセル１２と、負荷１４と前記バッテリーセル１２間に直列に接続され、放電制御時に前記バッテリーセル１２から負荷１４に供給される放電電流の通電状態を前記ディレイ信号２６ａの論理値に応じて制御する放電用トランジスタＱ1 と、充電器１４と前記バッテリーセル１２間に直列に接続され、充電制御時に充電器１４から前記バッテリーセル１２に供給される充電電流の通電状態を前記充電制御信号２３ａの論理値に応じて制御する充電用トランジスタＱ2 と、バッテリー接地電位Ｖssに接続され、前記バッテリーセル１２において過充電状態を検出するタイミングにかかるディレイ時間を設定するための充放電信号１２ａを生成して前記過充電検出回路２２に送信する遅延コンデンサーＣ1 とを有する構成としたバッテリーパック１０である。


【手続補正５３】
【補正対象書類名】明細書
【補正対象項目名】００７４
【補正方法】変更
【補正の内容】
【００７４】
請求項１３に記載の発明に依れば、請求項１乃至１２のいずれか一項に記載の効果に加えて、前述の充放電保護回路２０を設けることにより、２次電池１２の電池電圧が動作可能電圧を下回ってしまった場合であっても過電流検出時の発振防止機能を実現でき、確実な放電制御を放電用トランジスタＱ1 を用いて実行する機能を実現でき、確実な充電制御を充電用トランジスタＱ2 を用いて実行する機能を実現できるようになるといった効果を奏する。更に、このような充放電保護回路２０を設けることにより、ラッチ機能付コンパレータに比べて簡便な回路構成で、かつコンパクトな回路規模、小さいチップ面積、２次電池１２の消耗を軽減した少ない消費電力でこのような充放電制御機能や発振防止機能を有するバッテリーパック１０を実現できるようになる。


【手続補正５４】
【補正対象書類名】明細書
【補正対象項目名】００７５
【補正方法】変更
【補正の内容】
【００７５】
請求項１４に記載の発明は、請求項１３に記載のバッテリーパック１０において、前記放電用トランジスタＱ1 は、前記ディレイ信号２６ａの論理値と前記短絡検出信号２４ａの論理値との論理積である放電信号２６ｂの論理値に応じて前記バッテリーセル１２から負荷１４に供給される放電電流の通電状態を制御するように構成されているバッテリーパック１０である。


【手続補正５５】
【補正対象書類名】明細書
【補正対象項目名】００７６
【補正方法】変更
【補正の内容】
【００７６】
請求項１４に記載の発明に依れば、請求項１３に記載の効果に加えて、ディレイ信号２６ａの論理値と短絡検出信号２４ａの論理値との論理積である放電信号２６ｂとの論理演算を実行し演算結果の論理値に応じてバッテリーセル１２から負荷１４に供給される放電電流の通電状態を過放電状態や短絡状態をモニタリングしながら放電用トランジスタＱ1 を用いて制御できるようになるといった効果を奏する。


【手続補正５６】
【補正対象書類名】明細書
【補正対象項目名】００７７
【補正方法】変更
【補正の内容】
【００７７】
請求項１５に記載の発明は、請求項１４に記載のバッテリーパック１０において、充電器１４接地電位Ｖ−に応じて活性化された際に前記充電用トランジスタＱ2 を活性化する論理値を有する前記充電制御信号２３ａを生成するレベルシフト回路２３を有する構成としたバッテリーパック１０である。


【手続補正５７】
【補正対象書類名】明細書
【補正対象項目名】００７８
【補正方法】変更
【補正の内容】
【００７８】
請求項１５に記載の発明に依れば、請求項１４に記載の効果に加えて、前述の充放電保護回路２０にこのようなレベルシフト回路２３を設けることにより、２次電池１２の電池電圧が動作可能電圧を下回ってしまった場合であっても充電器１４の接続によって、前述の過電流検出時の発振防止機能を実現すると同時に、確実な充電制御を充電用トランジスタＱ2 を用いて実行する機能を実現するための充電制御信号２３ａを生成できるようになるといった効果を奏する。更に、このようなレベルシフト回路２３は、ラッチ機能付コンパレータに比べて簡便な回路構成で、かつコンパクトな回路規模、小さいチップ面積、２次電池１２の消耗を軽減した少ない消費電力でこのような充放電制御機能や発振防止機能を有するバッテリーパック１０を実現することに寄与する。


【手続補正５８】
【補正対象書類名】明細書
【補正対象項目名】０１９７
【補正方法】削除
【補正の内容】
【手続補正５９】
【補正対象書類名】明細書
【補正対象項目名】０１９８
【補正方法】削除
【補正の内容】
【手続補正６０】
【補正対象書類名】明細書
【補正対象項目名】０１９９
【補正方法】削除
【補正の内容】
【手続補正６１】
【補正対象書類名】明細書
【補正対象項目名】０２００
【補正方法】削除
【補正の内容】
【手続補正６２】
【補正対象書類名】明細書
【補正対象項目名】０２０１
【補正方法】削除
【補正の内容】
【手続補正６３】
【補正対象書類名】明細書
【補正対象項目名】０２０２
【補正方法】削除
【補正の内容】
【手続補正６４】
【補正対象書類名】明細書
【補正対象項目名】０２０３
【補正方法】削除
【補正の内容】
【手続補正６５】
【補正対象書類名】明細書
【補正対象項目名】０２０４
【補正方法】削除
【補正の内容】
【手続補正６６】
【補正対象書類名】明細書
【補正対象項目名】０２０５
【補正方法】削除
【補正の内容】
【手続補正６７】
【補正対象書類名】明細書
【補正対象項目名】０２０６
【補正方法】変更
【補正の内容】
【０２０６】
請求項１に記載の発明に依れば、２次電池電位が過充電検出電圧以上であっても負荷接続時の負荷電流が過電流として誤判定されて放電トランジスタが不活性化されてしまうことを回避して負荷電流を負荷に供給する放電制御機能を実現できるようになり、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。また、ディレイ回路を設けることに依り、過放電検出信号にかかる放電制御及び前記過電流検出信号にかかる放電制御よりも過充電検出信号を検出した状態で更に過充電検出電圧以上の２次電池電位を検出した際の放電用トランジスタの活性化にかかる放電制御を優先することができるようになり、その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。
【手続補正６８】
【補正対象書類名】明細書
【補正対象項目名】０２０７
【補正方法】変更
【補正の内容】
【０２０７】
請求項２に記載の発明に依れば、２次電池電位が過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現できるようになり、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。


【手続補正６９】
【補正対象書類名】明細書
【補正対象項目名】０２０８
【補正方法】変更
【補正の内容】
【０２０８】
請求項３に記載の発明に依れば、請求項１又は２に記載の効果に加えて、ディレイ回路を設けることに依り、過充電検出信号を検出した状態で更に過充電検出電圧以上の２次電池電位を検出した際に過放電状態に応じた放電制御のキャンセル及び過電流状態に応じた放電制御のキャンセルを実行できるようになり、その結果、過放電状態を回避する放電制御機能及び過電流状態を回避する過電流制御機能に加えて、負荷接続時に過充電を検出した場合であって２次電池電位が過充電検出電圧よりも低いときに負荷電流を放電用トランジスタを介して負荷に供給する放電制御機能を実現できるといった効果を奏する。


【手続補正７０】
【補正対象書類名】明細書
【補正対象項目名】０２０９
【補正方法】削除
【補正の内容】
【手続補正７１】
【補正対象書類名】明細書
【補正対象項目名】０２１０
【補正方法】変更
【補正の内容】
【０２１０】
請求項４に記載の発明に依れば、請求項１に記載の効果に加えて、ゲート回路を設けることに依り、放電制御または放電制御に必要なディレイ信号を生成して放電用トランジスタに供給できるようになる。またディレイ回路を設けることに依り、過充電検出信号を受信した状態で更に過充電検出電圧以上の２次電池電位を検出した際に、過放電検出信号及び過電流検出信号を遮断して過放電検出信号にかかる放電制御及び過電流検出信号にかかる放電制御に要するディレイ信号の生成を禁止する制御を実行し、かつ過充電検出信号を検出した状態で更に過充電検出電圧以上の２次電池電位を検出した際の放電用トランジスタの活性化にかかる放電制御に要するディレイ信号の生成を許可することができるようになり、その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。


【手続補正７２】
【補正対象書類名】明細書
【補正対象項目名】０２１１
【補正方法】変更
【補正の内容】
【０２１１】
請求項５に記載の発明に依れば、請求項４に記載の効果に加えて、遮断用ＭＯＳＦＥＴを設けることに依り、過充電検出信号を受信した状態で更に過充電検出電圧以上の２次電池電位を検出した際の過充電検出信号のゲートへの入力に応じて遮断用ＭＯＳＦＥＴを活性化し過放電検出信号及び過電流検出信号を遮断して過放電検出信号にかかる放電制御及び過電流検出信号にかかる放電制御に要するディレイ信号の生成を禁止する制御を実行し、かつ過充電検出信号を検出した状態で更に過充電検出電圧以上の２次電池電位を検出した際の放電用トランジスタの活性化にかかる放電制御に要するディレイ信号の生成を許可するディレイ信号を生成する制御を実行できるようになる。その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。


【手続補正７３】
【補正対象書類名】明細書
【補正対象項目名】０２１２
【補正方法】変更
【補正の内容】
【０２１２】
請求項６に記載の発明に依れば、請求項１に記載の効果に加えて、過放電検出回路を設けることにより、２次電池の放電状態を監視して過放電状態を検知した際に過放電検出信号を生成できるようになる。また、前述のヒステリシスインバータ回路を有するディレイ回路を設けることにより、過放電検出信号を前述のヒステリシスインバータ回路に入力できるようになり、その結果、上昇時の入力電圧スレッショルドレベルと下降時の入力電圧スレッショルドレベルとで特定できるヒステリシス特性を有するディレイ信号を生成できるようになる。このようなヒステリシス特性をディレイ信号に付与することにより、過電流検出時の発振防止機能を実現できるようになり、ディレイ信号を用いて放電電流の制御を行う放電用トランジスタの過電流検出時の発振防止機能を実現できるようになる。更に、ヒステリシスインバータ回路を設けることで、ラッチ機能付コンパレータに比べて簡便な回路構成で、かつコンパクトな回路規模、小さいチップ面積、２次電池の消耗を軽減した少ない消費電力でこのような発振防止機能を有する過電流検出回路を実現できるようになる。また、レベルシフト回路は充電器の充電電位に接続されているので、充電器が充電電位に接続された際に充電器から電力の供給を受けて動作可能となり充電制御信号を生成できるようになる。すなわち、２次電池に充放電保護回路を動作させるだけの電力を供給する能力が無くなってしまった場合であっても充電器が充電電位に接続されればレベルシフト回路が動作可能状態となって充電制御信号を生成できるようになり、２次電池の電池電圧が動作可能電圧を下回ってしまった場合であっても充電器の接続によって確実な充電制御を実行する機能を実現できるようになる。その結果、充電制御信号を用いて充電用トランジスタを制御して２次電池の充電制御ができるようになり、充放電保護回路を動作させるだけの電力の供給する能力を２次電池において復帰させることができるようになる。


【手続補正７４】
【補正対象書類名】明細書
【補正対象項目名】０２１３
【補正方法】変更
【補正の内容】
【０２１３】
請求項７に記載の発明に依れば、請求項６に記載の効果に加えて、遮断用ＭＯＳＦＥＴを設けることに依り、過充電検出信号を受信した状態で更に過充電検出電圧以上の２次電池電位を検出した際の過充電検出信号のゲートへの入力に応じて遮断用ＭＯＳＦＥＴを活性化し過放電検出信号及び過電流検出信号のヒステリシスインバータ回路への入力を遮断して過放電検出信号にかかる放電制御及び過電流検出信号にかかる放電制御に要するディレイ信号の生成を禁止する制御を実行し、かつ過充電検出信号を検出した状態で更に過充電検出電圧以上の２次電池電位を検出した際の放電用トランジスタの活性化にかかる放電制御に要するディレイ信号の生成をヒステリシスインバータ回路に対して優先的に許可するディレイ信号を生成する制御を実行できるようになる。その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を小さな回路規模で実現できるようになる。


【手続補正７５】
【補正対象書類名】明細書
【補正対象項目名】０２１４
【補正方法】変更
【補正の内容】
【０２１４】
請求項８に記載の発明に依れば、請求項６に記載の効果と同様の効果を奏する。


【手続補正７６】
【補正対象書類名】明細書
【補正対象項目名】０２１５
【補正方法】変更
【補正の内容】
【０２１５】
請求項９に記載の発明に依れば、請求項７又は８に記載の効果に加えて、遮断用ＭＯＳＦＥＴを設けることに依り、過充電検出信号を受信した状態で更に過充電検出電圧以上の２次電池電位を検出した際の過充電検出信号のゲートへの入力に応じて遮断用ＭＯＳＦＥＴを活性化し過放電検出信号及び過電流検出信号のヒステリシスインバータ回路への入力を遮断して過放電検出信号にかかる放電制御及び過電流検出信号にかかる放電制御に要するディレイ信号の生成を禁止する制御を実行し、かつ過充電検出信号を検出した状態で更に過充電検出電圧以上の２次電池電位を検出した際の放電用トランジスタの活性化にかかる放電制御に要するディレイ信号の生成をヒステリシスインバータ回路に対して優先的に許可するディレイ信号を生成する制御を実行できるようになる。その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能をヒステリシスインバータ回路や遮断用ＭＯＳＦＥＴを用いることで小さな回路規模で実現できるようになる。


【手続補正７７】
【補正対象書類名】明細書
【補正対象項目名】０２１６
【補正方法】変更
【補正の内容】
【０２１６】
請求項１０に記載の発明に依れば、請求項９に記載の効果に加えて、遮断用ＭＯＳＦＥＴを設けることに依り、過充電検出信号を受信した状態で更に過充電検出電圧以上の２次電池電位を検出した際の過充電検出信号のゲートへの入力に応じて遮断用ＭＯＳＦＥＴを活性化し過放電検出信号及び過電流検出信号のヒステリシスインバータ回路への入力を遮断して過放電検出信号にかかる放電制御及び過電流検出信号にかかる放電制御に要するディレイ信号の生成を禁止する論理制御を実行し、かつ過充電検出信号を検出した状態で更に過充電検出電圧以上の２次電池電位を検出した際の放電用トランジスタの活性化にかかる放電制御に要するディレイ信号の生成をヒステリシスインバータ回路に対して優先的に許可するディレイ信号を生成する論理制御を実行できるようになる。その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であっても過電流状態と誤判定されて放電トランジスタが不活性化されてしまうことを回避して負荷電流を負荷に供給する放電制御機能を論理制御できるヒステリシスインバータ回路や遮断用ＭＯＳＦＥＴを用いることで小さな回路規模でかつ集積化に適した回路形態で実現できるようになる。


【手続補正７８】
【補正対象書類名】明細書
【補正対象項目名】０２１７
【補正方法】変更
【補正の内容】
【０２１７】
請求項１１に記載の発明に依れば、請求項５または１０に記載の効果に加えて、遮断用ＭＯＳＦＥＴを設けることに依り、過充電検出信号を受信した状態で更に過充電検出電圧以上の２次電池電位を検出した際の過充電検出信号のゲートへの入力に応じて遮断用ＭＯＳＦＥＴを活性化し過放電検出信号及び過電流検出信号のタイミングコンデンサーへの電荷蓄積を遮断して過放電検出信号にかかる放電制御及び過電流検出信号にかかる放電制御に要するディレイ信号の生成を禁止する論理制御を実行し、かつ過充電検出信号を検出した状態で更に過充電検出電圧以上の２次電池電位を検出した際の放電用トランジスタの活性化にかかる放電制御に要するディレイ信号の生成をヒステリシスインバータ回路に対して優先的に許可するディレイ信号を生成する論理制御を実行できるようになる。その結果、過充電検出電圧以上であっても負荷接続時の負荷電流が過電流として誤判定されずに放電用トランジスタを活性化して寄生ダイオードと放電用トランジスタとを介して負荷電流を負荷に供給する放電制御機能を実現でき、同様に、充電器としてパルス充電器を用い負荷接続時の負荷電流に対する過電流が検出された際の２次電池電位が過充電検出電圧以上に保持された場合であってもタイミングコンデンサーの電位に基づいて過電流状態と誤判定されて放電トランジスタが不活性化されてしまうことを回避して負荷電流を負荷に供給する放電制御機能を論理制御できるヒステリシスインバータ回路や遮断用ＭＯＳＦＥＴを用いることで小さな回路規模でかつ集積化に適した回路形態で実現できるようになる。


【手続補正７９】
【補正対象書類名】明細書
【補正対象項目名】０２１８
【補正方法】変更
【補正の内容】
【０２１８】
請求項１２に記載の発明に依れば、請求項１１に記載の効果に加えて、過放電検出信号及び過電流検出信号を用いたタイミングコンデンサーへの電荷蓄積に応じたコンデンサー電位と上昇ヒステリシス回路における入力電圧上昇時のスレッショルドレベルとを比較して入力電圧上昇時のスレッショルドレベル以上のコンデンサー電位となった際に放電用トランジスタを不活性化するディレイ信号を生成できるようになり、上昇ヒステリシス回路における入力電圧上昇時のスレッショルドレベル未満である場合に放電用トランジスタを活性化するディレイ信号を生成できるようになる。その結果、上昇時の入力電圧スレッショルドレベルと下降時の入力電圧スレッショルドレベルとで特定できるヒステリシス特性を有するディレイ信号を生成できるようになる。このようなヒステリシス特性をディレイ信号に付与することにより、過電流検出時の発振防止機能を実現できるようになり、ディレイ信号を用いて放電電流の制御を行う放電用トランジスタの過電流検出時の発振防止機能を実現できるようになる。更に、ヒステリシスインバータ回路を設けることで、ラッチ機能付コンパレータに比べて簡便な回路構成で、かつコンパクトな回路規模、小さいチップ面積、２次電池の消耗を軽減した少ない消費電力でこのような発振防止機能を有する過電流検出回路を実現できるようになる。


【手続補正８０】
【補正対象書類名】明細書
【補正対象項目名】０２１９
【補正方法】変更
【補正の内容】
【０２１９】
請求項１３に記載の発明に依れば、請求項１乃至１２のいずれか一項に記載の効果に加えて、前述の充放電保護回路を設けることにより、２次電池の電池電圧が動作可能電圧を下回ってしまった場合であっても過電流検出時の発振防止機能を実現でき、確実な放電制御を放電用トランジスタを用いて実行する機能を実現でき、確実な充電制御を充電用トランジスタを用いて実行する機能を実現できるようになる。更に、このような充放電保護回路を設けることにより、ラッチ機能付コンパレータに比べて簡便な回路構成で、かつコンパクトな回路規模、小さいチップ面積、２次電池の消耗を軽減した少ない消費電力でこのような充放電制御機能や発振防止機能を有するバッテリーパックを実現できるようになる。


【手続補正８１】
【補正対象書類名】明細書
【補正対象項目名】０２２０
【補正方法】変更
【補正の内容】
【０２２０】
請求項１４に記載の発明に依れば、請求項１３に記載の効果に加えて、ディレイ信号の論理値と短絡検出信号の論理値との論理積である放電信号との論理演算を実行し演算結果の論理値に応じてバッテリーセルから負荷に供給される放電電流の通電状態を過放電状態や短絡状態をモニタリングしながら放電用トランジスタを用いて制御できるようになる。


【手続補正８２】
【補正対象書類名】明細書
【補正対象項目名】０２２１
【補正方法】変更
【補正の内容】
【０２２１】
請求項１５に記載の発明に依れば、請求項１４に記載の効果に加えて、前述の充放電保護回路にこのようなレベルシフト回路を設けることにより、２次電池の電池電圧が動作可能電圧を下回ってしまった場合であっても充電器の接続によって、前述の過電流検出時の発振防止機能を実現すると同時に、確実な充電制御を充電用トランジスタを用いて実行する機能を実現するための充電制御信号を生成できるようになる。更に、このようなレベルシフト回路は、ラッチ機能付コンパレータに比べて簡便な回路構成で、かつコンパクトな回路規模、小さいチップ面積、２次電池の消耗を軽減した少ない消費電力でこのような充放電制御機能や発振防止機能を有するバッテリーパックを実現することに寄与する。